(57)【要約】  通信システムにおける第１の基地局の第１の無線カバレジ内に配置された基地局が提供される。該基地局は前記第１の基地局よりも低い送信電力を有する。該基地局は、第１の部分と第２の部分とに分割されたシステム無線リソースに関するシステムリソース割当情報を記憶する記憶部であって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられる、記憶部と、前記システムリソース割当情報に従って該基地局のユーザデータ送信に割り当てられる前記第１の部分および前記第２の部分の少なくとも１つの無線リンクパラメータの設定を変更するコントローラとを有する。
2013546208.tif 000002
【特許請求の範囲】
【請求項１】
通信システムにおける第１の基地局の第１の無線カバレジ内に配置された基地局において、該基地局は前記第１の基地局よりも低い送信電力を有し、
第１の部分と第２の部分とに分割されたシステム無線リソースに関するシステムリソース割当情報を記憶する記憶部であって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられる、記憶部と、
前記システムリソース割当情報に従って該基地局のユーザデータ送信に割り当てられる前記第１の部分および前記第２の部分の少なくとも１つの無線リンクパラメータの設定を変更するコントローラと
を備えたことを特徴とする基地局。
【請求項２】
前記コントローラが、無線リンクパラメータとして、送信電力および／または前記基地局のユーザデータ送信のためのリソースの比率を設定し、該リソースの比率が、前記システム無線リソースの量に対する前記基地局のユーザデータ送信のために使用されるリソースの量の比であることを特徴とする請求項１に記載の基地局。
【請求項３】
前記コントローラは、前記第２の部分が割り当てられるときの前記送信電力および／または前記リソースの比率が、前記第１の部分が割り当てられるときよりも大きくなるように設定を行うことを特徴とする請求項２に記載の基地局。
【請求項４】
前記コントローラは、前記第１および第２の部分がそれぞれ割り当てられるときの２つの送信電力に関連する情報を、前記基地局に接続している端末へ送信するように送信部を制御することを特徴とする請求項３に記載の基地局。
【請求項５】
低電力ノードが配置された無線カバレジを有する基地局において、前記低電力ノードは該基地局よりも低い送信電力を有し、該基地局が、
第１の部分と第２の部分とに分割されたシステム無線リソースに関するシステムリソース割当情報を記憶する記憶部と、
前記第１の部分が割り当てられているときに該基地局に接続している端末へユーザデータを送信するユーザデータ通信機能を実行し、前記第２の部分が割り当てられているときに前記ユーザデータ通信以外の少なくとも１つの機能を実行するスケジューラと
を備え、
前記低電力ノードが、前記システムリソース割当情報に従って前記低電力ノードのユーザデータ送信に割り当てられる前記第１の部分および前記第２の部分の少なくとも１つの無線リンクパラメータの設定を変更する
ことを特徴とする基地局。
【請求項６】
前記スケジューラは、前記第２の部分が割り当てられているときに、前記基地局に接続している端末へ制御チャネルおよび／または基準信号を送信することを特徴とする請求項５に記載の基地局。
【請求項７】
前記スケジューラは、前記第２の部分が割り当てられているときに、前記第２の部分のリソースを使用して前記基地局に接続されたリレーノードへユーザデータを送信し、該リレーノードが、該リレーノードに接続している端末へユーザデータを送信することを特徴とする請求項５または６に記載の基地局。
【請求項８】
第１の基地局と、
前記第１の基地局の無線カバレジ内にあり、前記第１の基地局よりも低い送信電力を有する少なくとも１つの第２の基地局と、
前記第１および第２の基地局のそれぞれに接続している少なくとも１つの端末と
を備えた通信システムにおいて、
前記第１の基地局が、
第１の部分と第２の部分とに分割されたシステム無線リソースに関するシステムリソース割当情報を記憶する第１の記憶部と、
前記第１の部分が割り当てられているときに該第１の基地局に接続している端末へユーザデータを送信するユーザデータ通信機能を実行し、前記第２の部分が割り当てられているときに前記ユーザデータ通信以外の少なくとも１つの機能を実行するスケジューラと
を備え、
前記第２の基地局が、
前記システムリソース割当情報を記憶する第２の記憶部であって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられた、第２の記憶部と、
前記システムリソース割当情報に従って該第２の基地局のユーザデータ送信に割り当てられる前記第１の部分および前記第２の部分の少なくとも１つの無線リンクパラメータの設定を変更するコントローラと
を備えたことを特徴とする通信システム。
【請求項９】
通信システムにおける第１の基地局の第１の無線カバレジ内に配置された基地局における無線リソースの設定方法において、該基地局は前記第１の基地局よりも低い送信電力を有し、該方法が、
第１の部分と第２の部分とに分割されたシステム無線リソースに関するシステムリソース割当情報を記憶するステップであって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられる、記憶するステップと、
前記システムリソース割当情報に従って該基地局のユーザデータ送信に割り当てられる前記第１の部分および前記第２の部分の少なくとも１つの無線リンクパラメータの設定を変更するステップと
を備えたことを特徴とする無線リソースの設定方法。
【請求項１０】
低電力ノードが配置された無線カバレジを有する基地局における無線リソースの設定方法において、前記低電力ノードは該基地局よりも低い送信電力を有し、該方法が、
第１の部分と第２の部分とに分割されたシステム無線リソースに関するシステムリソース割当情報を記憶するステップと、
前記第１の部分が割り当てられているときに該基地局に接続している端末へユーザデータを送信するユーザデータ通信機能を実行するステップと、
前記第２の部分が割り当てられているときに前記ユーザデータ通信以外の少なくとも１つの機能を実行するステップと
を備え、
前記低電力ノードが、前記システムリソース割当情報に従って前記低電力ノードのユーザデータ送信に割り当てられる前記第１の部分および前記第２の部分の少なくとも１つの無線リンクパラメータの設定を変更する
ことを特徴とする無線リソースの設定方法。
【発明の詳細な説明】
【技術分野】
【０００１】
本発明は、ヘテロジニアスネットワークにおける無線通信システムに関し、より詳細には、無線通信システムにおいて無線リソースを設定する技術に関する。
【背景技術】
【０００２】
３ＧＰＰ（3rd Generation Partnership Project）ＬＴＥアドバンスト（Long Term Evolution Advanced）は、マクロ基地局（以下ＭｅＮＢ（Macro evolved Node B）と称する）のみから構築されたマクロセルラネットワークの容量および／または無線カバレジを向上させるためのヘテロジニアスセルラネットワークを検討している。ヘテロジニアスセルラネットワークは、低電力ノード（low power node, ＬＰＮ）がマクロセルラネットワークに埋め込まれたような、異種の基地局が配備されたネットワークである。ＬＰＮは、ＭｅＮＢと同様に、無線リンクを通じてユーザ端末（以下ＵＥ（User Equipment, ユーザ機器）と称する）にコアネットワークへのアクセスを提供することができるが、ＭｅＮＢよりも送信電力が低い。ＬＰＮに分類されるネットワークノードの例として、ＰｅＮＢ（Pico eNB, ピコｅＮＢ）、ＨｅＮＢ（Home eNB, ホームｅＮＢ）、およびＲＮ（Relay Node, リレーノード）がある。ＰｅＮＢは、コアネットワークへの有線バックホールコネクションを有するＬＰＮであり、すべてのＵＥがアクセス可能である。ＨｅＮＢは、コアネットワークへの有線バックホールコネクションを有するＬＰＮであるが、限定加入者グループ（closed-subscriber group, ＣＳＧ）に属するＵＥのみがアクセス可能である。ＲＮは、ワイヤレスバックホールリンク経由でＭｅＮＢを通じてコアネットワークに接続し、すべてのＵＥがアクセス可能である。主要なＲＮ配備状況の例として、ＲＮを管理するＭｅＮＢが、ＲＮと通信するために、システム無線リソースにおけるバックホールサブフレームという時間領域リソースの一部を割り当てるように設定される。他方、時間領域リソースの別の部分において、ＭｅＮＢおよびＲＮはそれぞれのＵＥと同時に通信することができる（非特許文献１参照）。
【０００３】
本明細書において、ＬＰＮという用語は、ＰｅＮＢ、ＨｅＮＢ、またはＲＮを共通に意味するものとして用いられ、ＬＰＮ−ＵＥという用語は、ＬＰＮとコネクションを確立しているＵＥを意味するものとして用いられる。他方、ＰｅＮＢ−ＵＥ、ＨｅＮＢ−ＵＥ、およびＲＮ−ＵＥという用語は、それぞれ特にＰｅＮＢ、ＨｅＮＢ、およびＲＮとコネクションを確立しているＵＥを意味するものとして用いられる。また、ＭｅＮＢ−ＵＥという用語は、ＭｅＮＢとコネクションを確立しているＵＥを意味するものとして用いられる。
【０００４】
現在、３ＧＰＰ  ＲＡＮワーキンググループ（ＲＡＮ  ＷＧ）で検討中のヘテロジニアスネットワークに関する問題の１つとして、ＭｅＮＢおよびＬＰＮが同じキャリア周波数でそれぞれのＵＥと制御チャネル、ユーザデータ、および基準信号を通信する際のＭｅＮＢとＬＰＮとの間の干渉が挙げられる（非特許文献２参照）。この問題は、ＭｅＮＢがＬＰＮに対して干渉を引き起こす場合と、その逆の場合とにさらに分けることができる。
【０００５】
ヘテロジニアスネットワークにおけるＬＰＮからＭｅＮＢ−ＵＥへの主要な干渉状況の１つとして、ＬＰＮが、特にＬＰＮの近くに位置するＭｅＮＢ−ＵＥに対して重大な干渉を引き起こすという問題がある。この結果、ＭｅＮＢ−ＵＥにおけるスループット性能が劣化する。このような干渉問題に対処するため、非特許文献３には、マクロダウンリンク制御チャネルを保護するために用いられる技術として、重畳キャリアに対する時間シフティング、キャリアオフセッティングおよび電力制御等のいくつかの技術が開示されている。例えば、ＬＰＮおよびＭｅＮＢが時間同期しているとき、ＭｅＮＢダウンリンクフレームタイミングに対するＬＰＮ送信の時間シフティングを使用することができる。電力制御を実行する場合、ＬＰＮは、マクロセルの周辺ＲＦ条件を測定することによって自己の送信電力を設定することで、ＭｅＮＢ−ＵＥへの干渉を軽減し、ＬＰＮ−ＵＥに対する良好なＬＰＮカバレジを維持する。
【先行技術文献】
【非特許文献】
【０００６】
【非特許文献１】3GPP TR 36.814 v9.0.0 (2010-03), "Further Advancements for E-UTRA physical layer aspects"
【非特許文献２】3GPP RP-100383, "New Work Item Proposal: Enhanced ICIC for non-CA based deployments of heterogeneous networks for LTE"
【非特許文献３】3GPP TR 36.921 v9.0.0 (2010-03), "HeNB RF requirements analysis"
【発明の概要】
【発明が解決しようとする課題】
【０００７】
ヘテロジニアスネットワークが非特許文献３に開示された技術を使用する場合には、ＭｅＮＢがＭｅＮＢ−ＵＥへユーザデータを常に送信しＬＰＮがＭｅＮＢ−ＵＥに対する干渉を常に生じさせるという仮定に基づいて、ＬＰＮ−ＵＥへの送信のために割り当てられるＬＰＮの送信電力またはシステム無線リソース量が静的または準静的に制御される。しかし、ＭｅＮＢは実際にはＭｅＮＢ−ＵＥへユーザデータを常に送信しているとは限らないので、非特許文献３に開示された方法では、ＬＰＮにおける送信電力または割当リソース量が必要以上に制御されることになってしまう。したがって、ＬＰＮにおけるスループット性能劣化の問題が依然として残る。
【０００８】
そこで、本発明は、上記の問題点を考慮して達成されたものであり、その目的は、ヘテロジニアスネットワークにおいてマクロ基地局における通信に対して追加的な干渉を引き起こすことなく低電力ノードのスループット性能を向上させることができる、通信システムにおける基地局および無線リソース設定方法を提供することである。
【課題を解決するための手段】
【０００９】
本発明によれば、通信システムにおける第１の基地局の第１の無線カバレジ内に配置された基地局が提供される。該基地局は前記第１の基地局よりも低い送信電力を有する。該基地局は、第１の部分と第２の部分とに分割されたシステム無線リソースに関するシステムリソース割当情報を記憶する記憶部であって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられる、記憶部と、前記システムリソース割当情報に従って該基地局のユーザデータ送信に割り当てられる前記第１の部分および前記第２の部分の少なくとも１つの無線リンクパラメータの設定を変更するコントローラとを有する。
本発明によれば、低電力ノードが配置された無線カバレジを有する基地局が提供される。前記低電力ノードは該基地局よりも低い送信電力を有する。該基地局は、第１の部分と第２の部分とに分割されたシステム無線リソースに関するシステムリソース割当情報を記憶する記憶部と、前記第１の部分が割り当てられているときに該基地局に接続している端末へユーザデータを送信するユーザデータ通信機能を実行し、前記第２の部分が割り当てられているときに前記ユーザデータ通信以外の少なくとも１つの機能を実行するスケジューラとを有する。前記低電力ノードは、前記システムリソース割当情報に従って、該低電力ノードのデータ送信のための少なくとも１つの無線リンクパラメータを変化させ、前記低電力ノードのユーザデータ送信に割り当てられる前記第１の部分および前記第２の部分の少なくとも１つの無線リンクパラメータの設定を変更する。
【００１０】
本発明によれば、第１の基地局と、前記第１の基地局の無線カバレジ内にあり、前記第１の基地局よりも低い送信電力を有する少なくとも１つの第２の基地局と、前記第１および第２の基地局のそれぞれに接続している少なくとも１つの端末とを有する通信システムが提供される。前記第１の基地局は、第１の部分と第２の部分とに分割されたシステム無線リソースに関するシステムリソース割当情報を記憶する第１の記憶部と、前記第１の部分が割り当てられているときに該第１の基地局に接続している端末へユーザデータを送信するユーザデータ通信機能を実行し、前記第２の部分が割り当てられているときに前記ユーザデータ通信以外の少なくとも１つの機能を実行するスケジューラとを備える。前記第２の基地局は、前記システムリソース割当情報を記憶する第２の記憶部であって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられた、第２の記憶部と、前記システムリソース割当情報に従って該第２の基地局のユーザデータ送信に割り当てられる前記第１の部分および前記第２の部分の少なくとも１つの無線リンクパラメータの設定を変更するコントローラとを備える。
【００１１】
本発明によれば、通信システムにおける第１の基地局の第１の無線カバレジ内に配置された基地局における無線リソースの設定方法が提供される。該基地局は前記第１の基地局よりも低い送信電力を有する。該方法は、第１の部分と第２の部分とに分割されたシステム無線リソースに関するシステムリソース割当情報を記憶するステップであって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられる、記憶するステップと、前記システムリソース割当情報に従って該基地局のユーザデータ送信に割り当てられる前記第１の部分および前記第２の部分の少なくとも１つの無線リンクパラメータの設定を変更するステップとを有する。
本発明によれば、低電力ノードが配置された無線カバレジを有する基地局における無線リソースの設定方法が提供される。前記低電力ノードは該基地局よりも低い送信電力を有する。該方法は、第１の部分と第２の部分とに分割されたシステム無線リソースに関するシステムリソース割当情報を記憶するステップと、前記第１の部分が割り当てられているときに該基地局に接続している端末へユーザデータを送信するユーザデータ通信機能を実行するステップと、前記第２の部分が割り当てられているときに前記ユーザデータ通信以外の少なくとも１つの機能を実行するステップと有する。前記低電力ノードは、前記システムリソース割当情報に従って前記低電力ノードのユーザデータ送信に割り当てられる前記第１の部分および前記第２の部分の少なくとも１つの無線リンクパラメータの設定を変更する。
【発明の効果】
【００１２】
上記のように、本発明によれば、ヘテロジニアスネットワークにおいてマクロ基地局における通信に対して追加的な干渉を引き起こすことなく、低電力ノードのスループット性能を向上させることができる。
【図面の簡単な説明】
【００１３】
【図１】図１は本発明の例示的実施形態に共通して使用される無線通信システムを示す模式図である。
【図２】図２は本発明の例示的実施形態に共通である第１の基地局の例示的構成のブロック図である。
【図３】図３は本発明の例示的実施形態に共通である第２の基地局の例示的構成のブロック図である。
【図４】図４は本発明の例示的実施形態に共通であるユーザ端末の例示的構成のブロック図である。
【図５】図５は本発明の第１の例示的実施形態によるＭｅＮＢおよびＬＰＮによって使用されるシステム無線リソースの設定およびＬＰＮの送信電力の設定を示す模式図である。
【図６】図６は第１の例示的実施形態による第２の基地局における無線リンクパラメータ設定方法を示すシーケンス図である。
【図７】図７は第１の例示的実施形態による第２の基地局における例示的動作のフローチャートである。
【図８】図８は第１の例示的実施形態によるシステム無線リソースの別の設定の模式図である。
【図９】図９は第１の例示的実施形態によるＭｅＮＢおよびＬＰＮによって使用されるシステム無線リソースの設定およびシステム無線リソースに対する第２のリソース部分の比率の設定を示す模式図である。
【図１０】図１０は本発明の第２の例示的実施形態によるシステム無線リソースの設定およびＬＰＮの送信電力の設定を示す模式図である。
【図１１】図１１は第２の例示的実施形態による第２の基地局における無線リンクパラメータ設定方法を示すシーケンス図である。
【図１２】図１２は第２の例示的実施形態による第１の基地局における例示的動作のフローチャートである。
【図１３】図１３は本発明の第３の例示的実施形態による無線通信システムを示す模式図である。
【図１４】図１４は第３の例示的実施形態による第２の基地局における無線リンクパラメータ設定方法を示すシーケンス図である。
【図１５】図１５は第３の例示的実施形態による第１の基地局における例示的動作のフローチャートである。
【図１６】図１６は第３の例示的実施形態による第３の基地局における例示的動作のフローチャートである。
【図１７】図１７は本発明の第４の例示的実施形態による無線通信システムを示す模式図である。
【図１８】図１８は第４の例示的実施形態による第２の基地局における無線リンクパラメータ設定方法を示すシーケンス図である。
【図１９】図１９は第４の例示的実施形態による第１の基地局における例示的動作のフローチャートである。
【図２０】図２０は第４の例示的実施形態による第２の基地局における例示的動作のフローチャートである。
【発明を実施するための形態】
【００１４】
本発明の好ましい実施形態について、添付の図面を参照して説明する。
【００１５】
１．システム
以下、明細書のこのセクションで開示する詳細は、明示的に別段の指定がない限り、以下で説明するすべての実施形態に共通のものとする。
【００１６】
図１に示すように、簡単のため、無線通信システムは、第１の基地局１０、第２の基地局２０、第１の基地局１０に接続している端末３０Ａ、および第２の基地局２０に接続している端末３０Ｂを含むと仮定する。この図において、第１の基地局１０、第２の基地局２０、端末３０Ａおよび端末３０Ｂはそれぞれ、前述のようなＭｅＮＢ、ＬＰＮ、ＭｅＮＢ−ＵＥおよびＬＰＮ−ＵＥに対応する。以下、これらの略記を用いる。
【００１７】
ＭｅＮＢ１０はＭｅＮＢセル５１の無線カバレジを生成し、ＬＰＮ２０は、ＭｅＮＢセル５１内のＬＰＮセル５２の、より小さい無線カバレジを生成する。ＭｅＮＢ１０およびＬＰＮ２０はそれぞれ、ＭｅＮＢ−ＵＥおよびＬＰＮ−ＵＥとユーザデータを通信するために、同じシステム無線リソース４０（例えば周波数）を共有する。システム無線リソースの詳細は後述する。以下の説明では、無線通信システムは、ＬＴＥアドバンストのようなＯＦＤＭＡ（直交周波数分割多元接続）無線通信システムであると仮定する。
【００１８】
１．１）マクロ基地局（ＭｅＮＢ）
図２に示すように、ＭｅＮＢ１０は無線通信部１０１を備える。無線通信部１０１は、アンテナを通じてＭｅＮＢ−ＵＥ３０Ａおよび／またはリレーノード（以下ＲＮと称する）との無線通信を実行する。無線通信部１０１は、ＭｅＮＢ−ＵＥ３０Ａおよび／またはＲＮからアップリンク信号を受信し、アップリンク受信信号を受信データプロセッサ１０２に出力する。受信データプロセッサ１０２は、信号合成、復調、およびチャネル復号等の手続きを実行して、アップリンク受信信号からユーザデータを取得する。結果として得られる受信ユーザデータは、通信部１０３を通じてコアネットワークへ転送される。
【００１９】
送信データプロセッサ１０４は、通信部１０３を通じてコアネットワークからユーザデータを受信し、トランスポートチャネルを生成するために、ユーザデータに対してチャネル符号化、レートマッチング、およびインタリーブを実行する。そして、送信データプロセッサ１０４は、トランスポートチャネルに制御情報を付加して無線フレームを生成する。また、送信データプロセッサ１０４は、シンボルマッピングを実行して送信シンボルを生成する。無線通信部１０１は、送信シンボルを変調・増幅してダウンリンク信号を生成した後、アンテナを通じてＭｅＮＢ−ＵＥ３０Ａへダウンリンク信号を送信する。
【００２０】
スケジューラ１０５は、メモリ１０６に記憶されているＭｅＮＢ１０におけるシステム無線リソースの割当情報（以下システムリソース割当情報と称する）を参照することにより、ＭｅＮＢ−ＵＥ３０Ａとの間でユーザデータを送受信するための無線リソース配分を制御する。システム無線リソースの割当は、ＭｅＮＢ１０がＭｅＮＢ−ＵＥ３０Ａとユーザデータを通信するためにシステム無線リソースの一部分が割り当てられ、ＭｅＮＢ１０がＭｅＮＢ−ＵＥ３０Ａとユーザデータを通信する機能以外の少なくとも１つの機能を実行するために別の部分が割り当てられるように、事前に決定される。割当および割当を決定する方法の詳細は後述する。
【００２１】
また、スケジューラ１０５は、メモリ１０６に記憶されているシステムリソース割当情報をＬＰＮ２０へ、送信データプロセッサ１０４、無線通信部１０１、およびアンテナを通じて無線リンク経由で送信するか、または、受信データプロセッサ１０２および通信部１０３を通じてコアネットワーク経由で送信する。なお、スケジューラ１０５は、ＣＰＵ（中央処理装置）のようなプログラム制御プロセッサ上で実行されるソフトウェアプログラムによって実現されてもよい。
【００２２】
１．２）低電力基地局（ＬＰＮ）
図３に示すように、ＬＰＮ２０は、以下で明示的に説明するいくつかの例外を除き、ＭｅＮＢ１０と同じ機能を有すると仮定される。無線通信部２０１は、ＭｅＮＢ１０の無線通信部１０１と同様に、アンテナを通じてＬＰＮ−ＵＥ３０Ｂからアップリンク信号を受信する。受信データプロセッサ２０２は、ＭｅＮＢ１０の受信データプロセッサ１０２と同様に、通信部２０３を通じてコアネットワークまたはＭｅＮＢへ受信ユーザデータを転送する。送信データプロセッサ２０４は、ＭｅＮＢ１０の送信データプロセッサ１０４と同様に、通信部２０３を通じてコアネットワークまたはＭｅＮＢから受信されるユーザデータに基づいて送信シンボルを生成する。そして、無線通信部２０１は、送信シンボルからダウンリンク信号を生成し、それをＬＰＮ−ＵＥ３０Ｂへ送信する。
【００２３】
スケジューラ２０５は、リソース設定コントローラ２０７によって提供されるシステム無線リソースの設定を考慮することにより、ＬＰＮ−ＵＥ３０Ｂとの間でユーザデータを送受信するための無線リソース配分を制御する。リソース設定コントローラ２０７は、メモリ２０６に記憶されているシステムリソース割当情報に基づいて、ＬＰＮ−ＵＥ３０Ｂとユーザデータを通信するためのシステム無線リソースの無線リンクパラメータを設定する。無線リンクパラメータは、送信電力、および／または、システム無線リソースに対するＬＰＮ−ＵＥ３０Ｂとユーザデータを通信するために割り当てられるリソースの比率であることが可能である。システムリソース割当情報は、無線通信部２０１および受信データプロセッサ２０２を通じて無線リンク経由で、または、通信部２０３および送信データプロセッサ２０４を通じてコアネットワーク経由で、ＭｅＮＢから受信されることが可能である。受信されたシステムリソース割当情報は、スケジューラ２０５およびリソース設定コントローラ２０７を通じてメモリ２０６に記憶される。別法として、システムリソース割当情報は、ネットワーク事業者によって事前に規定されてメモリ２０６に記憶されることも可能である。また、リソース設定コントローラ２０７は、スケジューラ２０５、送信データプロセッサ２０４、無線通信部２０１、およびアンテナを通じてＬＰＮ−ＵＥ３０Ｂへ、設定された送信電力情報を送信することもできる。なお、スケジューラ２０５およびリソース設定コントローラ２０７は、ＣＰＵ（中央処理装置）のようなプログラム制御プロセッサ上で実行されるソフトウェアプログラムによって実現されてもよい。
【００２４】
１．３）端末（ＵＥ）
図４は、ＵＥ３０の例示的構成を示している。ＵＥ３０は、ＭｅＮＢ−ＵＥ３０ＡおよびＬＰＮ−ＵＥ３０Ｂの両方を意味する。無線通信部３０１は、アンテナを通じてＭｅＮＢ１０またはＬＰＮ２０からダウンリンク信号を受信する。受信データプロセッサ３０２は、受信ダウンリンク信号からユーザデータを取得するプロセスを実行し、ＵＥ３０の動作を制御するプロセッサ３０４へユーザデータを転送する。また、受信データプロセッサ３０２は、無線リンク通信部３０１を通じてＬＰＮ２０から、設定された送信電力情報を受信し、それをメモリ３０３に記憶させることができる。設定された送信電力情報に基づいて、受信データプロセッサ３０２は、ＲＳＲＰ（Reference Signal Received Power, 基準信号受信電力）またはＲＳＲＱ（Reference Signal Received Quality, 基準信号受信品質）を計算する際の電力オフセット値を設定することができる。ＲＳＲＰまたはＲＳＲＱは、ＬＰＮ２０とＬＰＮ−ＵＥ３０Ｂとの間の無線リンクの品質を示す。送信されるべきユーザデータが生成されると、プロセッサ３０４は、送信データコントローラ３０５の制御下でユーザデータを送信データプロセッサ３０６に出力する。無線通信部３０１は、送信データプロセッサ３０６から受信されるユーザデータからアップリンク信号を生成し、それをＭｅＮＢ１０またはＬＰＮ２０へ送信する。
【００２５】
２．第１の例示的実施形態
第１の例示的実施形態は、ＬＰＮ２０が、ＭｅＮＢ１０におけるシステム無線リソースの割当情報に基づいて、ＬＰＮ−ＵＥ３０Ｂへユーザデータを送信するためのシステム無線リソースの無線リンクパラメータとして送信電力を設定する場合を示している。この実施形態は、図１〜図４で前述したのと同様の無線通信システムを仮定するので、その説明は省略する。この実施形態に固有の詳細について、図５〜図８を参照して説明する。
【００２６】
２．１）リソース設定の例
本実施形態を説明するための例として、図５は、ＭｅＮＢ１０およびＬＰＮ２０によって使用されるシステム無線リソース４０の設定と、設定されたシステム無線リソースによるＬＰＮ２０の制御された送信電力とを示している。このリソース設定において、システム無線リソース４０は、時間領域で、第１のリソース部分４１および第２のリソース部分４２に分割される。
【００２７】
ＭｅＮＢ１０において、システム無線リソースは、図５に示すように事前に設定されると仮定される。ＭｅＮＢ１０は、ＭｅＮＢ−ＵＥ３０Ａへユーザデータを送信するための第１のリソース部分４１と、ＭｅＮＢ−ＵＥ３０Ａへユーザデータを送信する以外の機能のための第２のリソース部分４２とを割り当てるように構成される。ＬＰＮにおいて、システム無線リソースの設定無線リンクパラメータは、自己の送信電力であると仮定される。図５に示すように、ＭｅＮＢ１０がＭｅＮＢ−ＵＥへユーザデータを送信するためのそれぞれの第１のリソース部分４１に対応する期間中に、ＬＰＮ２０の送信電力は電力値Ｐ１に低減される。電力値Ｐ１は、その最大送信電力Ｐ２（＝Ｐｍａｘ）よりも所定の電力減少値ΔＰだけ小さい。電力減少値ΔＰは、ＬＰＮからＭｅＮＢ−ＵＥへの干渉の有効な軽減が得られるように決定される。ＭｅＮＢ１０がＭｅＮＢ−ＵＥ３０Ａへユーザデータを送信しないそれぞれの第２のリソース部分４２に対応する期間中に、ＬＰＮ２０は、自己の送信電力を、ＬＰＮ−ＵＥ３０Ｂへユーザデータを送信するための増大した電力値または通常は事前に設定される電力値に設定する。このようにして、ＬＰＮ２０に対する無線リンクパラメータは、第１のリソース部分４１および第２のリソース部分４２のいずれがシステムリソース割当情報に従ってスケジュールされるかに応じて制御される。
【００２８】
２．２）動作
図６に示すように、上記のようにＭｅＮＢ１０から受信されるかまたは事業者によって事前に設定されたシステムリソース割当情報が、ＬＰＮ２０のメモリ２０６に記憶される（ステップＳ１１０１）。そして、ＬＰＮ２０のリソース設定コントローラ２０７は、メモリ２０６に記憶されているＭｅＮＢ１０におけるシステムリソース割当情報に基づいて、ＬＰＮ−ＵＥ３０Ｂへユーザデータを送信するための送信電力を設定する（ステップＳ１１０２）。
【００２９】
第１のリソース部分４１にそれぞれ対応する時間インデックスにおいて、リソース設定コントローラ２０７は、送信電力をＰ１に設定する。Ｐ１は、ＬＰＮ２０の最大送信電力（Ｐｍａｘ）から所定の電力減少値（ΔＰ）を減じることによって得られる（ステップＳ１１０３）。そして、リソース設定コントローラ２０７は、スケジューラ２０５を制御して、設定された送信電力Ｐ１でＬＰＮ−ＵＥ３０Ｂへユーザデータを送信するために第１のリソース部分４１を割り当てる（ステップＳ１１０４）。その後、ＬＰＮ２０は、ＬＰＮ−ＵＥ３０Ｂへユーザデータを送信する（ステップＳ１１０５）。
【００３０】
他方、第２のリソース部分４２にそれぞれ対応する時間インデックスにおいて、リソース設定コントローラ２０７は、送信電力をＰ２に設定する。Ｐ２はＰｍａｘに等しい（ステップＳ１１０６）。そして、リソース設定コントローラ２０７は、スケジューラ２０５を制御して、設定された送信電力Ｐ２でＬＰＮ−ＵＥ３０Ｂへユーザデータを送信するために第２のリソース部分４２を割り当てる（ステップＳ１１０７）。そして、ＬＰＮ２０は、ＬＰＮ−ＵＥ３０Ｂへユーザデータを送信する（ステップＳ１１０８）。
【００３１】
図７において、メモリ２０６は上記のようにシステムリソース割当情報をすでに記憶していると仮定する。ステップＳ１２０１で、スケジューラ２０５は、ユーザデータ送信のための新たな時間インデックスの開始であるかどうかを判定する。まだその時刻ではない場合（Ｓ１２０１のＮｏ）、スケジューラ２０５はステップＳ１２０１を繰り返す。その時刻である場合（Ｓ１２０１のＹｅｓ）、スケジューラ２０５は、リソース設定コントローラ２０７に対して、メモリ２０６からシステムリソース割当情報を読み出すように命令する（ステップＳ１２０２）。そして、リソース設定コントローラ２０７は、現在の時間インデックスが無線リソースのどの部分に対応するかを判定する（ステップＳ１２０３）。現在の時間インデックスが第１のリソース部分に対応する場合（Ｓ１２０３の第１のリソース部分）、リソース設定コントローラ２０７は、送信電力をＰ１＝Ｐｍａｘ−ΔＰに設定し（ステップＳ１２０４）、スケジューラ２０５を制御して、設定された送信電力Ｐ１でＬＰＮ−ＵＥ３０Ｂへユーザデータを送信するために第１のリソース部分４１を割り当てる（ステップＳ１２０５）。
【００３２】
他方、現在の時間インデックスが第２のリソース部分に対応する場合（Ｓ１２０３の第２のリソース部分）、リソース設定コントローラ２０７は、送信電力をＰ２＝Ｐｍａｘに設定し（ステップＳ１２０６）、スケジューラ２０５を制御して、設定された送信電力Ｐ２でＬＰＮ−ＵＥ３０Ｂへユーザデータを送信するために第２のリソース部分４２を割り当てる（ステップＳ１２０７）。割当が完了した後（ステップＳ１２０５またはＳ１２０７）、ＬＰＮ２０は、設定された送信電力でＬＰＮ−ＵＥ３０Ｂへユーザデータを送信する（ステップＳ１２０８）。そして、プロセスはステップＳ１２０１に戻る。図４に示すようなＵＥの動作は、当業者の一般的知識であるので、その説明は省略する。
【００３３】
２．３）他の例
図５に開示したようなシステム無線リソース４０のリソース設定は、説明の目的で示したものであり、本実施形態はこの例に限定されるわけではない。別の例として、システム無線リソースは、時間・周波数協調リソースの２つの別個のセット、すなわち、図８に示すような第１のリソース部分４１の第１のセットおよび第２のリソース部分４２の第２のセット、に分割されることも可能である。ＭｅＮＢ１０は、第１のリソース部分４１を用いてＭｅＮＢ−ＵＥへユーザデータを送信し、第２のリソース部分４２を用いてユーザデータの送信以外の機能を実行する。この場合、ＬＰＮは、第２のリソース部分４２における送信電力が第１のリソース部分４１における送信電力よりも大きくなるように自己の送信電力を設定する。
【００３４】
また、上記のような送信電力Ｐ１およびＰ２の設定は、説明の目的で示したものであり、本実施形態はその例に限定されるわけではない。別の例として、送信電力Ｐ１は、Ｐｍａｘ未満の所定の送信電力（Ｐｄｅｆ）であることが可能であり、送信電力Ｐ２は、Ｐｄｅｆに所定の電力増大値を加えたものであることが可能である。
【００３５】
図９を参照すると、ＬＰＮ２０における設定無線リンクパラメータとして、送信電力の代わりに、システム無線リソースに対するＬＰＮ−ＵＥ３０Ｂへユーザデータを送信するために割り当てられるリソースの比率が使用されてもよい。この場合、図８に開示したようなシステム無線リソースの仮定の下で、ＬＰＮ２０は、各時間インデックスにおいて、第２のリソース部分の比率（Ｒ２）が第１のリソース部分の比率（Ｒ１）よりも大きくなるように設定する。このような比率設定は、上記のような送信電力の設定と同等に有効であると考えられる。また、送信電力および割当リソース比率を両方とも設定することも有効である。
【００３６】
２．４）効果
上記のように、本実施形態によるリソース設定によれば、ＬＰＮ２０は、ＭｅＮＢ１０がＭｅＮＢ−ＵＥ３０Ａへユーザデータを送信していないときに、ＬＰＮ−ＵＥ３０Ｂへユーザデータを送信するための自己の送信電力を増大させることができる。これにより、ＬＰＮ２０とＬＰＮ−ＵＥ３０Ｂとの間の無線リンクにおける信号対干渉雑音比（ＳＩＮＲ）が向上する。したがって、ＭｅＮＢ−ＵＥ３０Ａへの追加的な干渉を引き起こすことなく向上したＳＩＮＲにより、ＬＰＮ２０のスループット性能を向上させることができる。
【００３７】
３．第２の例示的実施形態
第２の例示的実施形態は、ＭｅＮＢ１０が、ＭｅＮＢからＬＰＮ−ＵＥへの干渉の有効な軽減が得られるように、制御チャネルおよび／または基準信号を送信するという制限された利用のために第２のリソース部分を割り当てる場合を示している。この実施形態は、図１〜図４で前述したのと同様の無線通信システムを仮定するので、その説明は省略する。この実施形態に固有の詳細について、図１０〜図１２を参照して説明する。
【００３８】
３．１）リソース設定の例
本実施形態を説明するための例として、図１０は、ＭｅＮＢ１０およびＬＰＮ２０によって使用されるシステム無線リソース４０の設定と、設定されたシステム無線リソースによるＬＰＮ２０の制御された送信電力とを示している。このリソース設定において、システム無線リソース４０は、時間領域で、第１のリソース部分４１および第２のリソース部分４２に分割される。なお、本実施形態は、時間・周波数協調リソースの２つの別個のセット、すなわち、図８に示すような第１のリソース部分４１の第１のセットおよび第２のリソース部分４２の第２のセット、に分割されたシステム無線リソースにも適用可能である。
【００３９】
ＭｅＮＢ１０において、システム無線リソースは、図１０に示すように事前に設定されると仮定される。ＭｅＮＢ１０は、ＭｅＮＢ−ＵＥ３０Ａへユーザデータを送信するための第１のリソース部分４１と、制御チャネルおよび／または基準信号を送信する制限された利用のための第２のリソース部分４２とを割り当てるように構成される。ＬＰＮにおいて、システム無線リソースの設定無線リンクパラメータは、自己の送信電力であると仮定される。図１０に示すように、ＭｅＮＢ１０がＭｅＮＢ−ＵＥへユーザデータを送信するためのそれぞれの第１のリソース部分４１に対応する期間中に、ＬＰＮ２０の送信電力は電力値Ｐ１に低減される。電力値Ｐ１は、その最大送信電力Ｐ２（＝Ｐｍａｘ）よりも所定の電力減少値ΔＰだけ小さい。電力減少値ΔＰは、ＬＰＮからＭｅＮＢ−ＵＥへの干渉の有効な軽減が得られるように決定される。それぞれの第２のリソース部分４２に対応する期間中に、ＭｅＮＢ１０が制御チャネルおよび／または基準信号に送信を制限する一方で、ＬＰＮ２０は、自己の送信電力を、ＬＰＮ−ＵＥ３０Ｂへユーザデータを送信するための増大した電力値に設定する。
【００４０】
３．２）動作
図１１は、上記の仮定による第２の例示的実施形態の例示的シーケンス図を示している。この実施形態におけるＬＰＮ２０の動作のステップは図６における第１の例示的実施形態のステップＳ１１０１〜Ｓ１１０８と同じなので、図１０では同じ参照符号を用い、それらの説明は省略する。
【００４１】
図１１を参照すると、ステップＳ１３０１で、上記のようなＭｅＮＢ１０における所定のシステムリソース割当情報がメモリ１０６に記憶される。第１のリソース部分に対応する時間インデックスにおいて、スケジューラ１０５は、メモリ１０６に記憶されているシステムリソース割当情報に基づいて、ＭｅＮＢ−ＵＥ３０Ａへユーザデータを送信するために第１のリソース部分を割り当てる（ステップＳ１３０２）。そして、ＭｅＮＢ１０は、ＭｅＮＢ−ＵＥ３０Ａへユーザデータを送信する（ステップＳ１３０３）。他方、第２のリソース部分に対応する時間インデックスにおいて、スケジューラ１０５は、リソース割当および送信プロセスを制限する（ステップＳ１３０４）。この実施形態におけるＬＰＮ２０の動作は第１の実施形態と同じなので、その説明は省略する。
【００４２】
図１２を参照して、メモリ１０６は上記のようにＭｅＮＢ１０におけるシステムリソース割当情報をすでに記憶していると仮定する。ステップＳ１４０１で、スケジューラ１０５は、ユーザデータ送信のための新たな時間インデックスの開始であるかどうかを判定する（ステップＳ１４０１）。まだその時刻ではない場合（Ｓ１４０１のＮｏ）、スケジューラ１０５はステップＳ１４０１を繰り返す。その時刻である場合（Ｓ１４０１のＹｅｓ）、スケジューラ１０５は、メモリ１０６からＭｅＮＢにおけるシステムリソース割当情報を読み出す（ステップＳ１４０２）。そして、スケジューラ１０５は、現在の時間インデックスが無線リソースのどの部分に対応するかを判定する（ステップＳ１４０３）。
【００４３】
現在の時間インデックスが第１のリソース部分に対応する場合（Ｓ１４０３の第１のリソース部分）、スケジューラ１０５は、ＭｅＮＢ−ＵＥ３０Ａへユーザデータを送信するために第１のリソース部分を割り当てる（ステップＳ１４０４）。そして、ユーザデータは、無線通信部１０１を通じてＭｅＮＢ−ＵＥ３０Ａへ送信される（ステップＳ１４０５）。他方、現在の時間インデックスが第２のリソース部分に対応する場合（Ｓ１４０３の第２のリソース部分）、スケジューラ１０５は、第２のリソース部分の割当および送信を制限する（ステップＳ１４０６）。送信（ステップＳ１４０５）または割当および送信の制限（ステップＳ１４０６）の後、プロセスはステップＳ１４０１に戻る。図４に示すようなＵＥの動作は、当業者の一般的知識であるので、その説明は省略する。
【００４４】
上記のようなＭｅＮＢにおけるシステム無線リソースの割当は、説明の目的で示したものであり、本実施形態はその方法に限定されるわけではない。別の例として、送信電力の代わりに、またはそれに加えて、ＬＰＮ２０は、第１の例示的実施形態で開示したような、システム無線リソースに対するＬＰＮ−ＵＥ３０Ｂへユーザデータを送信するために割り当てられるリソースの比率を設定することも可能である。
【００４５】
３．３）効果
上記のように、本実施形態によるリソース設定によれば、ＭｅＮＢ１０がその送信プロセスを制限しているときにＬＰＮ２０がＬＰＮ−ＵＥ３０Ｂへユーザデータを送信するための自己の送信電力を増大させることに加えて、ＭｅＮＢ１０からのＬＰＮ−ＵＥ３０Ｂにおける干渉の軽減が可能となる。これにより、第１の例示的実施形態に比べて、ＬＰＮ２０とＬＰＮ−ＵＥ３０Ｂとの間の無線リンクにおける信号対干渉雑音比（ＳＩＮＲ）がさらに向上する。したがって、ＭｅＮＢ−ＵＥ３０Ａに対するＬＰＮ２０の追加的な干渉およびＬＰＮ−ＵＥ３０Ｂに対するＭｅＮＢ１０の追加的な干渉の両方を引き起こすことなく、ＬＰＮ２０のスループット性能をさらに向上させることもできる。
【００４６】
４．第３の例示的実施形態
第２の例示的実施形態では、ＭｅＮＢ１０が、ＭｅＮＢからＬＰＮ−ＵＥへの干渉を軽減するための制限された送信のために第２のリソース部分を割り当てる場合を示したが、第３の例示的実施形態では、ＭｅＮＢ１０が、第３の基地局、すなわちリレーノード（ＲＮ）へユーザデータを送信するために第２のリソース部分を割り当てる場合を示す。この実施形態の詳細について以下で説明する。
【００４７】
４．１）システム
図１３に示すように、簡単のため、無線通信システムは、第１の基地局（ＭｅＮＢ）１０、第２の基地局（ＬＰＮ）２０、第３の基地局（ＲＮ）２０−１、第１の基地局に接続している端末（ＭｅＮＢ−ＵＥ）３０Ａ、第２の基地局に接続している端末（ＬＰＮ−ＵＥ）３０Ｂ、および第３の基地局に接続している端末（ＲＮ−ＵＥ）３０Ｂ−１を含むと仮定する。ＭｅＮＢ１０、ＬＰＮ２０、およびＲＮ２０−１はそれぞれ、ＭｅＮＢセル５１、ＬＰＮセル５２、およびＲＮセル５２−１の無線カバレジを生成する。ＭｅＮＢ１０、ＬＰＮ２０、およびＲＮ２０−１は、それぞれのノードとユーザデータを通信するためにシステム無線リソース４０を使用する。
【００４８】
ＭｅＮＢ１０、ＬＰＮ２０、ならびにＭｅＮＢ−ＵＥ３０Ａ、ＬＰＮ−ＵＥ３０Ｂ、およびＲＮ−ＵＥ３０Ｂ−１等のＵＥの例示的構成は、それぞれ図２、図３、および図４において上記で開示したものと同じと仮定する。このため、それらの説明は省略する。
【００４９】
ＲＮ２０−１の例示的構成は、図３において上記で開示したようなＬＰＮ２０の構成と類似していると仮定する。ただし、ＲＮ２０−１の通信部２０３は、図３におけるＬＰＮ２０の通信部２０３と同じ機能を有するが、コアネットワークではなくＭｅＮＢ１０に接続している。そこで、ＲＮ２０−１の構成を参照する際には、図３におけるそれぞれの参照符号に添字「−１」を付加して、無線通信部２０１−１、受信データプロセッサ２０２−１、通信部２０３−１、送信データプロセッサ２０４−１、スケジューラ２０５−１、メモリ２０６−１、およびリソース設定コントローラ２０７−１のようにする。
【００５０】
図５に示したような例示的なシステム無線リソース４０を仮定する。ＭｅＮＢ１０において、図５に示したようなシステム無線リソースの割当が事前に設定されていると仮定する。ＭｅＮＢ１０は、ＭｅＮＢ−ＵＥ３０Ａへユーザデータを送信するための第１のリソース部分４１と、ＲＮ２０−１へユーザデータを送信するための第２のリソース部分４２とを割り当てるように構成される。ＬＰＮ２０において、システム無線リソースの設定無線リンクパラメータは、送信電力であると仮定される。
【００５１】
４．２）動作
図１４は、上記の仮定による第２の例示的実施形態の例示的シーケンス図を示している。この実施形態におけるＬＰＮ２０の動作のステップは図６における第１の例示的実施形態のステップＳ１１０１〜Ｓ１１０８と同じなので、図１０では同じ参照符号を用い、それらの説明は省略する。
【００５２】
図１４を参照して、ＭｅＮＢ１０およびＲＮ２０−１の動作のステップを以下で説明する。ステップＳ１５０１およびＳ１５０２で、上記のようなＭｅＮＢ１０におけるシステムリソース割当情報がＭｅＮＢ１０のメモリ１０６およびＲＮ２０−１のメモリ２０６−１にそれぞれ記憶される。
【００５３】
第１のリソース部分に対応する時間インデックスにおいて、ＭｅＮＢ１０のスケジューラ１０５は、メモリ１０６に記憶されているシステムリソース割当情報に基づいて、ＭｅＮＢ−ＵＥ３０Ａへユーザデータを送信するために第１のリソース部分を割り当てる（ステップＳ１５０３）。また、ＲＮ２０−１のスケジューラ２０５−１は、図３におけるＬＰＮ２０のスケジューラ２０５と同じ機能を有し、メモリ２０６−１に記憶されているシステムリソース割当情報に基づいて、ＲＮ−ＵＥ３０Ｂ−１へユーザデータを送信するために第１のリソース部分を割り当てる（ステップＳ１５０４）。そして、ＭｅＮＢ１０およびＲＮ２０−１はそれぞれ、ＭｅＮＢ−ＵＥ３０Ａ（ステップＳ１５０５）およびＲＮ−ＵＥ３０Ｂ−１（ステップＳ１５０６）へユーザデータを送信する。
【００５４】
他方、第２のリソース部分に対応する時間インデックスにおいて、ＭｅＮＢ１０のスケジューラ１０５は、ＲＮ２０−１へユーザデータを送信するために第２のリソース部分を割り当てる（ステップＳ１５０７）。そして、ＭｅＮＢ１０は、ＲＮ２０−１へユーザデータを送信する（ステップＳ１５０８）。
【００５５】
図１５において、メモリ１０６は上記のようにＭｅＮＢ１０におけるシステムリソース割当情報をすでに記憶していると仮定する。ステップＳ１６０１で、スケジューラ１０５は、ユーザデータ送信のための新たな時間インデックスの開始であるかどうかを判定する。まだその時刻ではない場合（Ｓ１６０１のＮｏ）、スケジューラ１０５はステップＳ１６０１を繰り返す。その時刻である場合（Ｓ１６０１のＹｅｓ）、スケジューラ１０５は、メモリ１０６からＭｅＮＢにおけるシステムリソース割当情報を読み出す（ステップＳ１６０２）。そして、スケジューラ１０５は、現在の時間インデックスが無線リソースのどの部分に対応するかを判定する（ステップＳ１６０３）。現在の時間インデックスが第１のリソース部分に対応する場合（Ｓ１６０３の第１のリソース部分）、スケジューラ１０５は、ＭｅＮＢ−ＵＥ３０Ａへユーザデータを送信するために第１のリソース部分を割り当てる（ステップＳ１６０４）。そして、ユーザデータは、無線通信部１０１を通じてＭｅＮＢ−ＵＥ３０Ａへ送信される（ステップＳ１６０５）。他方、現在の時間インデックスが第２のリソース部分に対応する場合（Ｓ１６０３の第２のリソース部分）、スケジューラ１０５は、ＲＮ２０−１へユーザデータを送信するために第２のリソース部分を割り当てる（ステップＳ１６０６）。そして、ユーザデータは、無線通信部１０１を通じてＲＮ２０−１へ送信される（ステップＳ１６０７）。ＭｅＮＢ−ＵＥ３０Ａ（ステップＳ１６０５）またはＲＮ２０−１（ステップＳ１６０７）への送信後、プロセスはステップＳ１６０１に戻る。
【００５６】
図１６において、メモリ２０６−１は上記のようにＭｅＮＢ１０におけるシステムリソース割当情報をすでに記憶していると仮定する。ステップＳ１７０１で、スケジューラ２０５−１は、ユーザデータ送信のための新たな時間インデックスの開始であるかどうかを判定する。まだその時刻ではない場合（Ｓ１７０１のＮｏ）、スケジューラ２０５−１はステップＳ１７０１を繰り返す。その時刻である場合（Ｓ１７０１のＹｅｓ）、スケジューラ２０５−１は、メモリ２０６−１からＭｅＮＢにおけるシステムリソース割当情報を読み出す（ステップＳ１７０２）。そして、スケジューラ２０５−１は、現在の時間インデックスが無線リソースのどの部分に対応するかを判定する（ステップＳ１７０３）。現在の時間インデックスが第１のリソース部分に対応する場合（Ｓ１７０３の第１のリソース部分）、スケジューラ２０５−１は、ＲＮ−ＵＥ３０Ｂ−１へユーザデータを送信するために第１のリソース部分を割り当てる（ステップＳ１７０４）。そして、ユーザデータは、無線通信部２０１−１を通じてＲＮ−ＵＥ３０Ｂ−１へ送信される（ステップＳ１７０５）。無線通信部２０１−１は、図３におけるＬＰＮ２０の無線通信部２０１と同じ機能を有する。他方、現在の時間インデックスが第２のリソース部分に対応する場合（Ｓ１７０３の第２のリソース部分）、スケジューラ２０５−１は、ＭｅＮＢ１０から送信されたユーザデータを受信する（ステップＳ１７０６）。送信（ステップＳ１７０５）または受信（ステップＳ１７０６）の後、プロセスはステップＳ１７０１に戻る。
【００５７】
図４に示すようなＵＥの動作は、当業者の一般的知識であるので、その説明は省略する。
【００５８】
上記のようなＭｅＮＢにおけるシステム無線リソースの割当は、説明の目的で示したものであり、本実施形態はその方法に限定されるわけではない。別の例として、ＬＰＮ２０もまたＲＮ２０−１とは異なるもう１つのＲＮである場合、ＭｅＮＢ１０は、ＬＰＮ２０およびＲＮ２０−１へユーザデータを送信するために第２のリソース部分の相異なる部分を割り当てることができる。この場合、ＬＰＮ２０は、上記の例と同等に有効とするために、送信電力を設定することに加えて、ＬＰＮ−ＵＥ３０Ｂへユーザデータを送信するために割り当てられる部分として、自己に対する部分を除外しＲＮ２０−１に対する部分を含めることができる。
【００５９】
さらに、送信電力の代わりに、またはそれに加えて、ＬＰＮ２０は、第１の例示的実施形態で開示したような、システム無線リソースに対するＬＰＮ−ＵＥ３０Ｂへユーザデータを送信するために割り当てられるリソースの比率を設定することも可能である。
【００６０】
４．３）効果
上記のように、本実施形態によるリソース設定によれば、ＭｅＮＢ１０がＲＮ２０−１へユーザデータを送信しているときにＬＰＮ２０がＬＰＮ−ＵＥ３０Ｂへユーザデータを送信するための自己の送信電力を増大させることに加えて、ＲＮ２０−１は、ＭｅＮＢ１０およびＬＰＮ２０と同時にＲＮ−ＵＥ３０Ｂ−１へユーザデータを送信することができる。これにより、ＭｅＮＢ−ＵＥ３０Ａへの追加的な干渉を引き起こすことなく、第１の例示的実施形態に比べて、ＭｅＮＢ１０、ＬＰＮ２０、およびＲＮ２０−１を含むシステム全体のスループット性能がさらに向上する。
【００６１】
５．第４の例示的実施形態
第２の例示的実施形態では、ＬＰＮ２０が、ＭｅＮＢ１０におけるシステムリソース割当情報に基づいて送信電力を制御する場合を示したが、第４の例示的実施形態では、ＬＰＮ２０が、ＭｅＮＢ１０によって送信されるシステムリソース割当情報に基づいて送信電力を制御する場合を示す。この実施形態の詳細について以下で説明する。
【００６２】
５．１）システム
図１７を参照すると、通信システムは、第１の基地局（ＭｅＮＢ）１０、第２の基地局（ＬＰＮ）２０、第１の基地局に接続している端末（ＭｅＮＢ−ＵＥ）３０Ａ、および第２の基地局に接続している端末（ＬＰＮ−ＵＥ）３０Ｂを含む。ＭｅＮＢ１０およびＬＰＮ２０はそれぞれ、ＭｅＮＢセル５１およびＬＰＮセル５２の無線カバレジを生成する。ＭｅＮＢ１０およびＬＰＮ２０はそれぞれ、ＭｅＮＢ−ＵＥ３０ＡおよびＬＰＮ−ＵＥ３０Ｂとユーザデータを通信するためにシステム無線リソース４０を使用する。リソース割当情報リンクＲＬが、ＭｅＮＢ１０におけるシステムリソース割当情報をＬＰＮ２０へ送信するために使用される。
【００６３】
ＭｅＮＢ１０、ＬＰＮ２０、ならびにＭｅＮＢ−ＵＥ３０ＡおよびＬＰＮ−ＵＥ３０Ｂ等のＵＥの例示的構成は、それぞれ図２、図３、および図４において上記で開示したものと同じと仮定する。このため、それらの説明は省略する。図５に示したようなシステム無線リソース４０の例示的な構成を仮定する。このため、それらの説明は省略する。
【００６４】
ＭｅＮＢにおいて、図５に開示したようなシステム無線リソースの割当が事前にネットワーク事業者によって設定されていると仮定する。ＭｅＮＢ１０は、ＭｅＮＢ−ＵＥ３０Ａへユーザデータを送信するための第１のリソース部分４１と、制御チャネルおよび／または基準信号を送信する制限された利用のための第２のリソース部分４２とを割り当てるように構成される。また、ネットワーク事業者によって事前に設定されたシステムリソース割当情報は、ＭｅＮＢ１０のメモリ１０６にすでに記憶されていることも仮定する。ＬＰＮ２０において、システム無線リソースの設定無線リンクパラメータは、送信電力であると仮定される。
【００６５】
５．２）動作
図１８を参照すると、ＭｅＮＢ１０は、リソース割当情報リンクＲＬを通じてＬＰＮ２０へシステムリソース割当情報を送信する。ＭｅＮＢ１０からシステムリソース割当情報を受信した後、ＬＰＮ２０は、システムリソース割当情報をメモリ２０６に記憶する（ステップＳ１８０２）。その後、ＬＰＮの動作のステップは、図６における第１の例示的実施形態のステップＳ１１０２〜Ｓ１１０８と同じである。また、ＭｅＮＢの動作のステップは、図１１における第２の例示的実施形態のステップＳ１３０２〜Ｓ１３０４と同じである。このため、それらの説明は省略する。
【００６６】
図１９は、ＭｅＮＢ−ＵＥ３０Ａへユーザデータを送信するためのＭｅＮＢ１０における例示的な制御フローを示している。メモリ１０６は、上記のようにシステムリソース割当情報をすでに記憶していると仮定する。ステップＳ１９０１で、ＭｅＮＢ１０は、リソース割当情報リンクＲＬを通じてＬＰＮ２０へシステムリソース割当情報を送信する。その後、ＭｅＮＢの動作のステップは、図１２における第２の例示的実施形態のステップＳ１４０１〜Ｓ１４０６と同じである。このため、それらの説明は省略する。
【００６７】
図２０を参照すると、ステップＳ２００１で、スケジューラ２０５は、ＭｅＮＢ１０から上記のようなシステムリソース割当情報を受信する。そして、スケジューラ２０５は、リソース設定コントローラ２０７を通じてメモリ２０６に記憶させるために、受信されたシステムリソース割当情報を転送する（ステップＳ２００２）。その後、ＬＰＮの動作のステップは、図７における第１の例示的実施形態のステップＳ１２０１〜Ｓ１２０８と同じである。このため、それらの説明は省略する。ＵＥの例示的なデータ受信動作も、当業者の一般的知識であるので省略する。
【００６８】
システムリソース割当情報をＬＰＮ２０へ送信する上記の方法は、説明の目的で示したものであり、本実施形態はその方法に限定されるわけではない。別の例として、システムリソース割当情報は、コアネットワークのようなＭｅＮＢ１０およびＬＰＮ２０の両方に接続している上位層ネットワークを通じてＬＰＮ２０へ送信されることが可能である。
【００６９】
さらに、この実施形態で開示したシステムリソース割当情報をＬＰＮ２０へ送信する方法は、上記の先行する例示的実施形態のすべてに対しても有効であると考えられる。
【００７０】
５．３）効果
上記のように、本実施形態による構成によれば、ＭｅＮＢ１０は、要求による変更がある際に、ＬＰＮ２０に記憶されているシステムリソース割当情報を更新することができる。このため、ＭｅＮＢ１０がその送信プロセスを制限しているときにＬＰＮ２０がＬＰＮ−ＵＥ３０Ｂへユーザデータを送信するための自己の送信電力を増大させることに加えて、ＬＰＮ２０は、ＭｅＮＢ１０における割当の変更に関して送信電力を適応的に制御することができる。したがって、ＭｅＮＢ−ＵＥ３０Ａへの追加的な干渉を引き起こすことなくＬＰＮ２０のスループット性能を向上させることにより、ＭｅＮＢ１０におけるシステムリソース割当情報の変更に対する堅牢さを達成することができる。
【００７１】
６．第５の例示的実施形態
第１の例示的実施形態では、ＬＰＮ２０が、ＭｅＮＢ１０におけるシステムリソース割当情報に基づいて送信電力を設定する場合を示したが、第５の例示的実施形態では、第１の例示的実施形態におけるプロセスに加えて、ＬＰＮ２０が、設定された送信電力情報をＬＰＮ−ＵＥ３０Ｂへ送信する場合を示す。この実施形態の詳細について以下で説明する。この実施形態におけるＬＰＮ２０の送信電力の設定に関する動作は図１〜図７に開示した第１の例示的実施形態と同じであるので、その説明は省略する。
【００７２】
ＬＰＮ２０の送信電力が設定された後、設定された送信電力情報がＬＰＮ２０から無線通信部２０１を通じてＬＰＮ−ＵＥ３０Ｂへ送信される。この情報を受信した後、ＬＰＮ−ＵＥ３０Ｂ内の受信データプロセッサ３０２がそれをメモリ３０３に記憶させる。設定された送信電力情報に基づいて、受信データプロセッサ３０２は、ＲＳＲＰまたはＲＳＲＱを計算する際の電力オフセット値を設定することができる。ＲＳＲＰまたはＲＳＲＱは、ＬＰＮ２０とＬＰＮ−ＵＥ３０Ｂとの間の無線リンクの品質を示す。
【００７３】
上記のようなＬＰＮ２０およびＬＰＮ−ＵＥ３０Ｂにおける動作のステップは、当業者の一般的知識であるので、そのシーケンス図およびフローチャートは省略する。さらに、この実施形態で開示した、設定された送信電力情報をＬＰＮ２０からＬＰＮ−ＵＥ３０Ｂへ送信する方法は、上記の先行する例示的実施形態のすべてに対しても有効であると考えられる。
【００７４】
上記のように、本実施形態による構成によれば、ＭｅＮＢ１０がＭｅＮＢ−ＵＥ３０Ａへユーザデータを送信する以外の機能のために第２のリソース部分を割り当てているときにＬＰＮ２０がＬＰＮ−ＵＥ３０Ｂへユーザデータを送信するための自己の送信電力を増大させることに加えて、ＬＰＮ−ＵＥ３０Ｂは、無線リンク品質インジケータの正確な値を有することができる。このため、ＭｅＮＢ−ＵＥ３０Ａへの追加的な干渉を引き起こすことなくＬＰＮ２０のスループット性能を向上させることに加えて、ハンドオーバー決定等でＬＰＮ−ＵＥ３０Ｂの正確な動作を達成することができる。
【００７５】
７．付記
上記で開示した例示的実施形態の全部または一部は、以下の付記のように記述することができるが、これには限定されない。
（付記１）
通信システムにおける第１の基地局の第１の無線カバレジ内に配置された基地局において、該基地局は前記第１の基地局よりも低い送信電力を有し、
第１の部分と第２の部分とに分割されたシステム無線リソースに関するシステムリソース割当情報を記憶する記憶部であって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられる、記憶部と、
前記システムリソース割当情報に従って該基地局のユーザデータ送信に割り当てられる前記第１の部分および前記第２の部分の少なくとも１つの無線リンクパラメータの設定を変更するコントローラと
を備えたことを特徴とする基地局。
（付記２）
前記コントローラが、無線リンクパラメータとして、送信電力および／または前記基地局のユーザデータ送信のためのリソースの比率を設定し、該リソースの比率が、前記システム無線リソースの量に対する前記基地局のユーザデータ送信のために使用されるリソースの量の比であることを特徴とする付記１に記載の基地局。
（付記３）
前記コントローラは、前記第２の部分が割り当てられるときの前記送信電力および／または前記リソースの比率が、前記第１の部分が割り当てられるときよりも大きくなるように設定を行うことを特徴とする付記２に記載の基地局。
（付記４）
前記コントローラは、前記第１および第２の部分がそれぞれ割り当てられるときの２つの送信電力に関連する情報を、前記基地局に接続している端末へ送信するように送信部を制御することを特徴とする付記３に記載の基地局。
（付記５）
前記システムリソース割当情報が、前記第１の基地局、または、前記基地局および前記第１の基地局を接続している上位層ネットワークエンティティから受信されることを特徴とする付記１ないし４のいずれか１項に記載の基地局。
（付記６）
低電力ノードが配置された無線カバレジを有する基地局において、前記低電力ノードは該基地局よりも低い送信電力を有し、該基地局が、
第１の部分と第２の部分とに分割されたシステム無線リソースに関するシステムリソース割当情報を記憶する記憶部と、
前記第１の部分が割り当てられているときに該基地局に接続している端末へユーザデータを送信するユーザデータ通信機能を実行し、前記第２の部分が割り当てられているときに前記ユーザデータ通信以外の少なくとも１つの機能を実行するスケジューラと
を備え、
前記低電力ノードが、前記システムリソース割当情報に従って前記低電力ノードのユーザデータ送信に割り当てられる前記第１の部分および前記第２の部分の少なくとも１つの無線リンクパラメータの設定を変更する
ことを特徴とする基地局。
（付記７）
前記スケジューラは、前記第２の部分が割り当てられているときに、前記基地局に接続している端末へ制御チャネルおよび／または基準信号を送信することを特徴とする付記６に記載の基地局。
（付記８）
前記低電力ノードが、無線リンクパラメータとして、送信電力および／または前記低電力ノードのユーザデータ送信のためのリソースの比率を設定し、該リソースの比率が、前記システム無線リソースの量に対する前記低電力ノードのユーザデータ送信のために使用されるリソースの量の比であることを特徴とする付記６または７に記載の基地局。
（付記９）
前記低電力ノードは、前記第２の部分が割り当てられるときの前記送信電力および／または前記リソースの比率が、前記第１の部分が割り当てられるときよりも大きくなるように設定を行うことを特徴とする付記８に記載の基地局。
（付記１０）
前記低電力ノードは、前記第１および第２の部分がそれぞれ割り当てられるときの２つの送信電力に関連する情報を、前記低電力ノードに接続している端末へ送信するように送信部を制御することを特徴とする付記９に記載の基地局。
（付記１１）
前記スケジューラは、前記第２の部分が割り当てられているときに、前記第２の部分のリソースを使用して前記基地局に接続されたリレーノードへユーザデータを送信し、該リレーノードが、該リレーノードに接続している端末へユーザデータを送信することを特徴とする付記６ないし１０のいずれか１項に記載の基地局。
（付記１２）
第１の基地局と、
前記第１の基地局の無線カバレジ内にあり、前記第１の基地局よりも低い送信電力を有する少なくとも１つの第２の基地局と、
前記第１および第２の基地局のそれぞれに接続している少なくとも１つの端末と
を備えた通信システムにおいて、
前記第１の基地局が、
第１の部分と第２の部分とに分割されたシステム無線リソースに関するシステムリソース割当情報を記憶する第１の記憶部と、
前記第１の部分が割り当てられているときに該第１の基地局に接続している端末へユーザデータを送信するユーザデータ通信機能を実行し、前記第２の部分が割り当てられているときに前記ユーザデータ通信以外の少なくとも１つの機能を実行するスケジューラと
を備え、
前記第２の基地局が、
前記システムリソース割当情報を記憶する第２の記憶部であって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられた、第２の記憶部と、
前記システムリソース割当情報に従って該第２の基地局のユーザデータ送信に割り当てられる前記第１の部分および前記第２の部分の少なくとも１つの無線リンクパラメータの設定を変更するコントローラと
を備えたことを特徴とする通信システム。
（付記１３）
通信システムにおける第１の基地局の第１の無線カバレジ内に配置された基地局における無線リソースの設定方法において、該基地局は前記第１の基地局よりも低い送信電力を有し、該方法が、
第１の部分と第２の部分とに分割されたシステム無線リソースに関するシステムリソース割当情報を記憶するステップであって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられる、記憶するステップと、
前記システムリソース割当情報に従って該基地局のユーザデータ送信に割り当てられる前記第１の部分および前記第２の部分の少なくとも１つの無線リンクパラメータの設定を変更するステップと
を備えたことを特徴とする無線リソースの設定方法。
（付記１４）
送信電力および／または前記基地局のユーザデータ送信のためのリソースの比率が無線リンクパラメータとして設定され、該リソースの比率が、前記システム無線リソースの量に対する前記基地局のユーザデータ送信のために使用されるリソースの量の比であることを特徴とする付記１３に記載の方法。
（付記１５）
前記第２の部分が割り当てられるときの前記送信電力および／または前記リソースの比率が、前記第１の部分が割り当てられるときよりも大きいことを特徴とする付記１４に記載の方法。
（付記１６）
前記第１および第２の部分がそれぞれ割り当てられるときの２つの送信電力に関連する情報が、前記基地局に接続している端末へ送信されることを特徴とする付記１５に記載の方法。
（付記１７）
前記システムリソース割当情報が、前記第１の基地局、または、前記基地局および前記第１の基地局を接続している上位層ネットワークエンティティから受信されることを特徴とする付記１３ないし１６のいずれか１項に記載の方法。
（付記１８）
低電力ノードが配置された無線カバレジを有する基地局における無線リソースの設定方法において、前記低電力ノードは該基地局よりも低い送信電力を有し、該方法が、
第１の部分と第２の部分とに分割されたシステム無線リソースに関するシステムリソース割当情報を記憶するステップと、
前記第１の部分が割り当てられているときに該基地局に接続している端末へユーザデータを送信するユーザデータ通信機能を実行するステップと、
前記第２の部分が割り当てられているときに前記ユーザデータ通信以外の少なくとも１つの機能を実行するステップと
を備え、
前記低電力ノードが、前記システムリソース割当情報に従って前記低電力ノードのユーザデータ送信に割り当てられる前記第１の部分および前記第２の部分の少なくとも１つの無線リンクパラメータの設定を変更する
ことを特徴とする無線リソースの設定方法。
（付記１９）
前記第２の部分が割り当てられているときに、制御チャネルおよび／または基準信号が、前記基地局に接続している端末へ送信されることを特徴とする付記１８に記載の方法。
（付記２０）
前記低電力ノードが、無線リンクパラメータとして、送信電力および／または前記低電力ノードのユーザデータ送信のためのリソースの比率を設定し、該リソースの比率が、前記システム無線リソースの量に対する前記低電力ノードのユーザデータ送信のために使用されるリソースの量の比であることを特徴とする付記１８または１９に記載の方法。
（付記２１）
前記低電力ノードは、前記第２の部分が割り当てられるときの前記送信電力および／または前記リソースの比率が、前記第１の部分が割り当てられるときよりも大きくなるように設定を行うことを特徴とする付記２０に記載の方法。
（付記２２）
前記低電力ノードは、前記第１および第２の部分がそれぞれ割り当てられるときの２つの送信電力に関連する情報を、前記低電力ノードに接続している端末へ送信するように送信部を制御することを特徴とする付記２１に記載の方法。
（付記２３）
前記基地局は、前記第２の部分が割り当てられているときに、前記第２の部分のリソースを使用して前記基地局に接続されたリレーノードへユーザデータを送信し、該リレーノードが、該リレーノードに接続している端末へユーザデータを送信することを特徴とする付記１８ないし２２のいずれか１項に記載の方法。
（付記２４）
通信システムにおける第１の基地局の第１の無線カバレジ内に配置された基地局における無線リソースを制御するように、プログラム制御されたプロセッサに命令するプログラムを記憶した記憶装置において、該基地局は前記第１の基地局よりも低い送信電力を有し、該プログラムが、
第１の部分と第２の部分とに分割されたシステム無線リソースに関するシステムリソース割当情報を記憶するステップであって、前記第１の部分は前記第１の基地局に接続している端末との前記第１の基地局のユーザデータ通信に割り当てられ、前記第２の部分は該ユーザデータ通信以外の前記第１の基地局の少なくとも１つの機能に割り当てられる、記憶するステップと、
前記システムリソース割当情報に従って該基地局のユーザデータ送信に割り当てられる前記第１の部分および前記第２の部分の少なくとも１つの無線リンクパラメータの設定を変更するステップと
を備えたことを特徴とする記憶装置。
（付記２５）
送信電力および／または前記基地局のユーザデータ送信のためのリソースの比率が無線リンクパラメータとして設定され、該リソースの比率が、前記システム無線リソースの量に対する前記基地局のユーザデータ送信のために使用されるリソースの量の比であることを特徴とする付記２４に記載の記憶装置。
（付記２６）
前記第２の部分が割り当てられるときの前記送信電力および／または前記リソースの比率が、前記第１の部分が割り当てられるときよりも大きいことを特徴とする付記２５に記載の記憶装置。
（付記２７）
前記第１および第２の部分がそれぞれ割り当てられるときの２つの送信電力に関連する情報が、前記基地局に接続している端末へ送信されることを特徴とする付記２６に記載の記憶装置。
（付記２８）
前記システムリソース割当情報が、前記第１の基地局、または、前記基地局および前記第１の基地局を接続している上位層ネットワークエンティティから受信されることを特徴とする付記２４ないし２７のいずれか１項に記載の記憶装置。
（付記２９）
低電力ノードが配置された無線カバレジを有する基地局における無線リソースを制御するように、プログラム制御されたプロセッサに命令するプログラムを記憶した記憶装置において、前記低電力ノードは該基地局よりも低い送信電力を有し、該プログラムが、
第１の部分と第２の部分とに分割されたシステム無線リソースに関するシステムリソース割当情報を記憶するステップと、
前記第１の部分が割り当てられているときに該基地局に接続している端末へユーザデータを送信するユーザデータ通信機能を実行するステップと、
前記第２の部分が割り当てられているときに前記ユーザデータ通信以外の少なくとも１つの機能を実行するステップと
を備え、
前記低電力ノードが、前記システムリソース割当情報に従って前記低電力ノードのユーザデータ送信に割り当てられる前記第１の部分および前記第２の部分の少なくとも１つの無線リンクパラメータの設定を変更する
ことを特徴とする記憶装置。
（付記３０）
前記第２の部分が割り当てられているときに、制御チャネルおよび／または基準信号が、前記基地局に接続している端末へ送信されることを特徴とする付記２９に記載の記憶装置。
（付記３１）
前記低電力ノードが、無線リンクパラメータとして、送信電力および／または前記低電力ノードのユーザデータ送信のためのリソースの比率を設定し、該リソースの比率が、前記システム無線リソースの量に対する前記低電力ノードのユーザデータ送信のために使用されるリソースの量の比であることを特徴とする付記２９または３０に記載の記憶装置。
（付記３２）
前記低電力ノードは、前記第２の部分が割り当てられるときの前記送信電力および／または前記リソースの比率が、前記第１の部分が割り当てられるときよりも大きくなるように設定を行うことを特徴とする付記３１に記載の記憶装置。
（付記３３）
前記低電力ノードは、前記第１および第２の部分がそれぞれ割り当てられるときの２つの送信電力に関連する情報を、前記低電力ノードに接続している端末へ送信するように送信部を制御することを特徴とする付記３２に記載の記憶装置。
（付記３４）
前記基地局は、前記第２の部分が割り当てられているときに、前記第２の部分のリソースを使用して前記基地局に接続されたリレーノードへユーザデータを送信し、該リレーノードが、該リレーノードに接続している端末へユーザデータを送信することを特徴とする付記２９ないし３３のいずれか１項に記載の記憶装置。
【産業上の利用可能性】
【００７６】
本発明は、低電力ノードがマクロセルラネットワークに埋め込まれたような、異種の基地局が配備されたヘテロジニアスセルラネットワーク、特に、狭い通路を含むエリアに提供される移動通信システムに適用可能である。
【符号の説明】
【００７７】
１０  基地局（ＭｅＮＢ）
２０  基地局（低電力ノード）
２０−１  基地局（リレーノード）
３０，３０−１，３０−２  ユーザ機器（ＵＥ）
４０  システム無線リソース
５１  ＭｅＮＢの無線カバレジ
５２  ＬＰＮの無線カバレジ
【図１】
2013546208.tif 000003
【図２】
2013546208.tif 000004
【図３】
2013546208.tif 000005
【図４】
2013546208.tif 000006
【図５】
2013546208.tif 000007
【図６】
2013546208.tif 000008
【図７】
2013546208.tif 000009
【図８】
2013546208.tif 000010
【図９】
2013546208.tif 000011
【図１０】
2013546208.tif 000012
【図１１】
2013546208.tif 000013
【図１２】
2013546208.tif 000014
【図１３】
2013546208.tif 000015
【図１４】
2013546208.tif 000016
【図１５】
2013546208.tif 000017
【図１６】
2013546208.tif 000018
【図１７】
2013546208.tif 000019
【図１８】
2013546208.tif 000020
【図１９】
2013546208.tif 000021
【図２０】
2013546208.tif 000022
【国際調査報告】
2013546208.tif 000023